(57)【特許請求の範囲】
【請求項１】
建物の屋上またはバルコニーに設置されるプランターであって、
４枚の平板状の側板で構成され平面形状が長方形で上下に開口した外枠と、この外枠に囲まれた領域の底部に、外周を前記外枠に近接させて設置されたトレイと、このトレイの角部でトレイと前記外枠の互いに隣合う一対の側板とを連結する連結金物とを備え、
前記連結金物は、前記一対の側板の内周面に沿う直角に折れ曲った板状で、前記トレイの角部の上面に形成された係合孔に係合する係合部を有し、かつ前記一対の側板に対してそれぞれビス止めするためのビス孔を有することを特徴とする屋上緑化プランター。
【請求項２】
請求項１において、前記側板は人工木材製であり、前記トレイは合成樹脂製である屋上緑化プランター。
【請求項３】
請求項１または請求項２において、前記側板は、この側板の端面に開口する空洞部を有し、互いに隣合う一対の側板の空洞部にわたって配置され前記連結金物に対向する補助金物を設け、この補助金物は、前記連結金物のビス孔に挿通したビスが螺着されるねじ孔を有する屋上緑化プランター。
【請求項４】
請求項１ないし請求項３のいずれか１項において、前記トレイは、底板部と、この底板部から立ち上がり上下に連通する筒状部とを有し、前記底板部をプランター設置面に接触させて設置され、このプランター設置面に固定した固定用吸盤の一部を前記筒状部に挿通して抜け不能な状態にした屋上緑化プランター。
【請求項５】
請求項１ないし請求項４のいずれかに記載の屋上緑化プランターを、建物の屋上に複数並設した屋上緑化システム。
【発明の詳細な説明】
【技術分野】
【０００１】
この発明は、屋上等の人工地盤の上に菜園や花壇を造るのに適した屋上緑化プランター、およびそれを用いた屋上緑化システムに関する。
【背景技術】
【０００２】
鉢やプランターを用いて、バルコニーで園芸を楽しむ人が多い。屋上のようにバルコニーよりも広いスペースがあり、もう少し本格的なものにしようとする場合、従来は、屋上等の床面に防水シートを敷き、その上にレンガやコンクリートブロックで囲いを作り、その囲いの中に土を入れて菜園や花壇としていた。しかし、この方法は、防水および根止めのための処理や囲いの施工が容易ではなく、また重量物であるレンガやコンクリートブロックを用いるため全体の重量が重くなるという問題があった。
【０００３】
かかる問題に対して、人工地盤の上に比較的簡単に設置できる軽量な植栽設備が各種提案されている（例えば特許文献１，２）。
【特許文献１】特開２００７−２５９７１６号公報
【特許文献２】特開２００６−１９７８６５号公報
【発明の開示】
【発明が解決しようとする課題】
【０００４】
しかし、例えば特許文献１は、折板屋根に植栽設備を設置する技術であり、平坦な屋上面には適用できない。また、特許文献２は、固化培土を用いて主に芝生等のマット状植物や根の浅い小さな草花を栽培するためのものであり、根菜類等のようにある程度の土壌深さを必要とする植物の栽培には適さない。他の提案も同様で、屋上等の平坦な人工地盤の上に本格的な菜園や花壇を造るのに適した技術は開示されていない。
【０００５】
また、従来の植栽設備には、ＧＲＣ（ガラスファイバー強化セメント）製プランター、ＦＲＰ（繊維強化プラスチック）製プランター、木材等が使用されているが、これらの材料には以下の問題がある。すなわち、ＧＲＣ製プランターは重量が重く、高価であり、施工が容易でない。ＦＲＰ製プランターは、高価で、製造するのに型が必要である。木材は、劣化しやすい。
【０００６】
この発明の目的は、材料の運搬および組立が容易で、全体の重量が抑えられ、屋上等の平坦な人工地盤の上に本格的な菜園や花壇を造るのに適した屋上緑化プランターを提供することである。
この発明の他の目的は、屋上緑化を促進できる屋上緑化システムを提供することである。
【課題を解決するための手段】
【０００７】
この発明の屋上緑化プランターは、建物の屋上またはバルコニーに設置されるプランターであって、４枚の平板状の側板で構成され平面形状が長方形で上下に開口した外枠と、この外枠に囲まれた領域の底部に、外周を前記外枠に近接させて設置されたトレイと、このトレイの角部でトレイと前記外枠の互いに隣合う一対の側板とを連結する連結金物とを備え、前記連結金物は、前記一対の側板の内周面に沿う直角に折れ曲った板状で、前記トレイの角部の上面に形成された係合孔に係合する係合部を有し、かつ前記一対の側板に対してそれぞれビス止めするためのビス孔を有することを特徴とする。
【０００８】
この屋上緑化プランターは、４枚の側板、トレイ、連結金物等の各材料を現場で組立てるユニット構成であり、各材料は単独では軽量で嵩張らないため、組立前の各材料の運搬が容易である。外枠を構成する側板を軽量なものとすることにより、全体の軽量化を図ることができる。組立に際しては、連結金物の係合部をトレイの係合孔に係合させて、連結金具をトレイに取付け、この連結金具のビス孔に挿通したビスにより、互いに直角に保持された隣合う一対の側板をそれぞれ連結金物に固定する。これにより、トレイと一対の側板とが連結される。この連結をトレイの四隅それぞれについて行うことにより、屋上緑化プランターが組立てられる。この組立作業は、特別な工具類を必要とせず、高度な技術を要するものではないので、誰でも簡単に組立てられる。
【０００９】
完成した屋上緑化プランターは、外枠に囲まれた領域のトレイ上側の空間に培土を入れることで、植物の栽培が可能となる。外枠の高さを高くすれば、土壌深さを深くすることができ、根菜類等の栽培も可能である。
【００１０】
この発明において、前記連結金物の係合部に、前記係合孔に係合した状態で係合が外れるのを規制する返しを設けるとよい。
連結金物の係合部に返しが設けられていると、外力が加わっても連結金物がトレイから外れない。
【００１１】
前記側板は人工木材製であり、前記トレイは合成樹脂製であってもよい。
側板を人工木材製、トレイを合成樹脂製とすると、耐久性向上と軽量化の両方を達成できる。
【００１２】
また、前記側板は、この側板の端面に開口する空洞部を有し、互いに隣合う一対の側板の空洞部にわたって配置され前記連結金物に対向する補助金物を設け、この補助金物は、前記連結金物のビス孔に挿通したビスが螺着されるねじ孔を有する構成とすることができる。
連結金物を側板に固定するためのビスを、側板の空洞部に配した補助金物のねじ孔に螺着する構成とすれば、側板自体にねじ溝を形成する必要がないので、側板の素材の選択範囲が広がる。また、ビスの先端が側板の外周側に突出せず、美観上好ましい。
【００１３】
さらに、前記トレイは、底板部と、この底板部から立ち上がり上下に連通する筒状部とを有し、前記底板部をプランター設置面に接触させて設置され、このプランター設置面に固定した固定用吸盤の一部を前記筒状部に挿通して抜け不能な状態にしてもよい。
これにより、屋上緑化プランター全体がプランター設置面に固定された状態となり、強風等による屋上緑化プランターの移動を防止できる。
【００１４】
この発明の屋上緑化システムは、上記屋上緑化プランターを、建物の屋上に複数並設したものである。
屋上緑化プランターを建物の屋上に複数並設することで、屋上緑化を促進できる。
【発明の効果】
【００１５】
この発明の屋上緑化プランターは、４枚の平板状の側板で構成され平面形状が長方形で上下に開口した外枠と、この外枠に囲まれた領域の底部に、外周を前記外枠に近接させて設置されたトレイと、このトレイの角部でトレイと前記外枠の互いに隣合う一対の側板とを連結する連結金物とを備え、前記連結金物は、前記一対の側板の内周面に沿う直角に折れ曲った板状で、前記トレイの角部の上面に形成された係合孔に係合する係合部を有し、かつ前記一対の側板に対してそれぞれビス止めするためのビス孔を有するため、材料の運搬および組立が容易で、全体の重量が抑えられ、屋上等の平坦な人工地盤の上に本格的な菜園や花壇を造るのに適する。
【００１６】
この発明の屋上緑化システムは、上記屋上緑化プランターを、建物の屋上に複数並設したものであり、これにより屋上緑化を促進できる。
【発明を実施するための最良の形態】
【００１７】
この発明の実施形態を図面と共に説明する。図１〜図３は屋上緑化プランターの組立状態を示す。この屋上緑化プランターは、平面形状が正方形で上下に開口した外枠１と、この外枠１に囲まれた領域の底部に、外周を前記外枠に近接させて設置されたトレイ２とを備える。他に、これら外枠１およびトレイ２の固定用または連結用の部材として、固定用吸盤３、固定用ディスク４、固定用バンド５、第１、第２の連結金物６，７、補助金物８、反り防止金物９、およびビス１０を有する。
【００１８】
外枠１は、同寸法の４枚の側板１１で構成されている。各側板１１の端面は、側板の長手方向に対して平面形状４５度の斜めになっており、この斜めの端面同士を突き合せて各側板１１が互いに直角に交差させて接合される。側板１１は、端面に開口する複数段、例えば４段の空洞部１２を有する。側板１１の内側面における端面の近傍には、上から１段目および３段目の空洞部１２にそれぞれ連通するビス孔１３が設けられている（図７）。側板１１の材質は、例えば天然木材を模した人工木材とされる。人工木材は、例えば合成樹脂と木粉を混合して押出成型等で成型したものであり、その材料にはリサイクル品等が用いられる。人工木材は、天然木材よりも軽量で、腐食に対する耐久性に優れるという利点が得られる。
【００１９】
トレイ２は、合成樹脂材料（例えばポリプロピレン）で成形されたものであって、平面形状正方形の底面部２１と、この底面部２１の四辺の外周縁から上方に立ち上がった立縁部２２と、底面部２１の中央部から上方に突出して上下に連通する筒状部２３とでなる。
【００２０】
底面部２１の上面には、貯水用の格子状溝２４が形成されている。この格子状溝２４における縦溝と横溝の交差部２４ａは溝幅が広く、かつ深さが深くなっている。また、縦溝および横溝のそれぞれの両端部２４ｂも交差部２４ａと同じ深さになっている。格子状溝２４以外の部分である凸部２５には、それぞれ複数の水抜き孔２６（図１（Ｂ）に図示）が設けられている。
【００２１】
立縁部２２は、詳しくは、底面部１５の外周縁から若干外方に拡がりつつ上方に立ち上がる立縁部下部２２ａと、この立縁部下部２２ａの上端から外方に延びる水平部２２ｂと、この水平部２２ｂの外端から上方に延びる立縁部上部２２ｃとでなる。水平部２２ｂの角部の近傍に、第１の連結金物６の後記係合部６３が係合する係合孔２７が設けられている。筒状部２３は、上端側ほど径が小さくなる先細り状である。
【００２２】
図４に示すように、固定用吸盤３は、吸盤部３１と、この吸盤部３１から上方に延びる棒状部３２とでなる。棒状部３２には、水平方向に貫通するバンド挿通孔３３が形成されている。固定用吸盤３は軟質塩化ビニール製であり、少なくとも吸盤部３１は変形可能な柔軟性を有する。固定用ディスク４は、前記トレイ２の筒状部２３の上端外径よりも直径の大きな円板で、大小２つバンド挿通孔４１，４２が形成されている。固定用バンド５は、自在に曲げられて結び目を作ることができる紐状であり、例えば針金、ゴム、繊維を拠り合せた紐等が用いられる。
【００２３】
図５および図６に示すように、第１、第２の連結金物６，７は直角に折れ曲った板状の金物であって、角部の近傍にビス孔６１，７１が設けられている。第１の連結金物６は、角部に下方に張り出す張出部６２が設けられ、両端に下方に延びる係合部６３が設けられている。係合部６３は、基端部よりも急激に幅が広くなった返し６３ａが設けられ、この返し６３ａよりも先端側は次第に幅が狭くなっている。第２の連結金物７は、第１の連結金物６よりも水平方向の長さが短く、前記張出部６２および係合部６３を有しない。
【００２４】
補助金物８は、上記第１、第２の連結金物６，７と組み合わせて使用されるものであり、図７に示すように、第１、第２の連結金物６，７と同様に直角に折れ曲っている。角部の近傍には、ナットからなるねじ孔８１が設けられている。反り防止金物９は、コ字状の断面形状をした長尺な金物である。
【００２５】
この屋上緑化プランターの組立方法を説明する。
屋上等のように塩化ビニール製の防水シート１０１が敷かれたプランター設置面の場合、まず、図４に示す順で防水シート１０１の上にトレイ２を設置する。
その設置方法は、防水シート１０１の表面におけるプランター設置箇所の中心となる位置に塩化ビニール用の溶剤１０２を塗布し（同図（Ａ））、その上から固定用吸盤３の吸盤部３１を押し付けて、防水シート１０１と吸盤部３１間の空間１０３を負圧状態にしながら、防水シート１０１と吸盤部３１とを溶着する（同図（Ｂ））。前記空間１０３が負圧状態であることによる吸着効果との相乗作用により、固定用吸盤３が防水シート１０１に強固に固定される。
【００２６】
そして、固定用吸盤３の一部である棒状部３２をトレイ２の筒状部２３に挿通させて、トレイ２を防水シート１０１上に設置する。このとき、予め固定用吸盤３のバンド挿通孔３３に固定用バンド５を挿通し、その固定用バンド５の両端が筒状部２３の上側に出る状態にしておく（同図（Ｃ））。固定用バンド５の両端を固定用ディスク４のバンド挿通孔４１，４２にそれぞれ挿通し、固定用バンド５の両端を結んで棒状部３２が筒状部２３から抜け不能な状態にする。これにより、トレイ２がプランター設置面である防水シート１０１に固定される。
【００２７】
次に、トレイ２の周囲に外枠１を組み上げる。
図５に示すように、第１の連結金物６の係合部６３をトレイ２の係合孔２７に差し込んで、第１の連結金物６をトレイ２に取付ける。このとき、第１の連結金物６の張出部６２が、トレイ２の立縁部水平部２２ｂに当接する。係合部６３は先端側ほど幅が狭くなっているため係合孔２７への差し込みは容易であり、係合部６３を係合孔２７に差し込むと、係合部６３の返し６３ａが係合孔２７の縁部に引っ掛かって係合部６３が抜けない状態になる。
【００２８】
各側板１１を、図７のように上から２番目の空洞部１２に反り防止金物９を挿入して、反らないように補強する。このように補強した側板１１を２枚直角に組み合わせ、これら一対の側板１１にわたって、上から１番目および３番目の空洞部２２に補助金物８をそれぞれ配置する。そして、第１の連結金物６のビス孔６１に挿通したビス１０を側板１１の上から３番目の空洞部２２に配置された補助金物８のねじ孔８１に螺着すると共に、第２の連結金物７のビス孔７１に挿通したビス１０を側板１１の上から１番目の空洞部２２に配置された補助金物８のねじ孔８１に螺着して、トレイ２と、互いに直角に保持された隣合う一対の側板１１とを連結する。トレイ２の係合孔２７は側板１１の内面から少し離れた位置にあるため、ビス１０を締め付けて第１の連結金物６を側板１１に連結した場合、第１の連結金物６が図１にように撓んだ状態となる。この連結をトレイ２の四隅それぞれについて行うことにより、外枠１が組み上がり、屋上緑化プランターが完成する。
【００２９】
上記組立作業は、特別な工具類を必要とせず、高度な技術を要するものではないので、誰でも簡単に組立てられる。また、解体も簡単に行えるので、防水改修時等の移設も容易である。この屋上緑化プランターは、各材料を現場で組立てるユニット構成であり、各材料は単独では軽量で嵩張らないため、組立前の各材料の運搬が容易である。外枠１を構成する側板１１は、空洞部１２を有する軽量なものであるため、屋上緑化プランター全体も比較的軽量である。軽量であっても、固定用吸盤３等によりトレイ２がプランター設置面である防水シート１０２に固定されているため、強風等により屋上緑化プランターが移動することがない。
【００３０】
完成した屋上緑化プランターは、組立用の金物やビスが外枠１の外周側に出ていないので、この実施形態のように外枠１を人工木材とした場合でも雰囲気を損なわない。第１、第２の連結金物６，７を側板１１に固定するためのビス１０を、側板１１の空洞部１２に配した補助金物８のねじ孔８１に螺着する構成としたため、側板１１自体にねじ溝を形成する必要がなく、側板１１の素材の選択範囲が広い。
【００３１】
図８に示すように、トレイ２の底部に吸水マット１０４を敷き、その上に培土１０５を充填した後、種を撒くか苗を植え付けて菜園または花壇とする。トレイ２の底部に吸水マット１０４が敷かれているため、保水性に優れ、またトレイ２の底部に貯水用の格子状溝２４が形成されているため、ある程度の水を貯えておくことができる。そのため、後の管理が容易である。背丈の高い外枠を使用すれば、土壌深さを深くすることができ、根菜類等の栽培も可能である。
【００３２】
図１ないし図３に示す実施形態では、１つの外枠１に囲まれた領域内に１つのトレイ２を設置した構成としたが、図９および図１０のように、１つの外枠１に囲まれた領域内の複数のトレイ２を設置した構成としてもよい。また、塩化ビニール製の防水シート１０１が敷かれていない人工地盤の場合、固定用吸盤３等によるトレイ２のプランター設置面への固定はしなくてもよい。
【００３３】
この発明の屋上緑化プランターを用いた屋上緑化システムの例を図１１に示す。この屋上緑化システムは、複数の屋上緑化プランターを並設したもので、屋上緑化プランター栽培する植物の種類に合わせて、外枠１の背丈が高い屋上緑化プランターＡと、背丈が低い屋上緑化プランターＢとを組み合わせて使用している。図例のように、水遣り設備１０６を併設しておくと、管理がし易い。
【００３４】
図１２のように、大きさが異なる屋上緑化プランターＣ，Ｄを組み合わせて並設してもよい。また、図１３のように、１つの外枠１に囲まれた領域内の複数のトレイ２を設置した屋上緑化プランターＥを複数並設してもよい。
【図面の簡単な説明】
【００３５】
【図１】（Ａ）はこの発明の実施形態にかかる屋上緑化プランターの平面図、（Ｂ）はそのＩＢ部拡大図である。
【図２】（Ａ）は図１（Ａ）のIIＡ−IIＡ断面図で、（Ｂ）はIIＢ部拡大図である。
【図３】図１（Ａ）のIII−III断面図である。
【図４】同屋上緑化プランターのトレイをプランター設置面に固定する方法を示す説明図である。
【図５】同屋上緑化プランターのトレイの一部および第１の連結金物の斜視図である。
【図６】同屋上緑化プランターの第２の連結金物の斜視図である。
【図７】同屋上緑化プランターの側板の一部、反り防止金物、および補助金物の斜視図である。
【図８】同屋上緑化プランターを用いた菜園の一例を示す破断側面図である。
【図９】この発明の異なる実施形態にかかる屋上緑化プランターの平面図である。
【図１０】この発明のさらに異なる実施形態にかかる屋上緑化プランターの平面図である。
【図１１】この発明の屋上緑化システムの一例の斜視図である。
【図１２】この発明の屋上緑化システムの異なる例の平面図である。
【図１３】この発明の屋上緑化システムのさらに異なる例の平面図である。
【符号の説明】
【００３６】
１…外枠
２…トレイ
３…固定用吸盤
６…第１の連結金物
７…第２の連結金物
８…補助金物
１０…ビス
１１…側板
１２…空洞部
２１…底板部
２２…立縁部
２３…筒状部
３１…吸盤部
３２…棒状部（固定用吸盤の一部）
６１…ビス挿通孔
６３…係合部
６３ａ…返し
７１…ビス挿通孔
８１…ねじ孔
１０１…防水シート（プランター設置面）
【図１】
0004948476.tif 000002
【図２】
0004948476.tif 000003
【図３】
0004948476.tif 000004
【図４】
0004948476.tif 000005
【図５】
0004948476.tif 000006
【図６】
0004948476.tif 000007
【図７】
0004948476.tif 000008
【図８】
0004948476.tif 000009
【図９】
0004948476.tif 000010
【図１０】
0004948476.tif 000011
【図１１】
0004948476.tif 000012
【図１２】
0004948476.tif 000013
【図１３】
0004948476.tif 000014